(57)【要約】【課題】発生した異常を適確に処理し、不良製品の発生を抑える異常処理システムを得る。【解決手段】第１，第２の製造部門２ａ，２ｂの製造装置３ａ，３ｂ、検査装置４ａ，４ｂ及び端末５ａ，５ｂ並びに最終検査部門６，製造管理部門８，技術部門１０及び品質管理部門１２の端末７，９，１１，１３と通信ネットワーク１を介して接続するホストコンピュータ１４を備える。ホストコンピュータ１４は、第１の製造部門２ａの検査装置４ａから受信した検査結果に所定の異常が見られたとき、第１の製造部門２ａから搬送される製品の第２の製造部門２ｂでの受付けを拒否するインターロック命令を第２の製造部門２ｂの製造装置３ｂに送信する。【選択図】　　　　図１
2004094356.tif 000002
【特許請求の範囲】
【請求項１】
製品を処理する製造装置と該製造装置による処理後の製品を検査する検査装置とを有する複数の製造部門と、
各製造部門の上記製造装置及び上記検査装置と通信ネットワークを介して接続しており、連続した２つの製造部門の前段の製造部門の上記検査装置から受信した検査結果に所定の異常が見られたとき、前段の製造部門から搬送される製品の後段の製造部門での受付けを拒否するインターロック命令を後段の製造部門の上記製造装置に送信する制御装置と
を備えた異常処理システム。
【請求項２】
製品を処理する製造装置と該製造装置による処理後の製品を検査する検査装置とを有する複数の製造部門と、
各製造部門の上記製造装置及び上記検査装置と通信ネットワークを介して接続しており、任意の製造部門の上記検査装置から受信した検査結果に所定の異常が見られたとき、その製造部門での製品の処理を停止する停止命令をその製造部門の上記製造装置に送信する制御装置と
を備えた異常処理システム。
【請求項３】
製品を処理する製造装置と該製造装置による処理後の製品を検査する検査装置と異常報告書を受信するための端末とを有する複数の製造部門と、
異常報告書を受信するための端末を有する複数の関連部門と、
各製造部門の上記製造装置、上記検査装置及び上記端末並びに各関連部門の上記端末と通信ネットワークを介して接続しており、異常報告書を含む報告書ファイルと異常報告書の送信先が規定された送信先ファイルと送信する異常報告書の種類が規定された送信報告書ファイルとを保持する記憶手段と、任意の製造部門の上記検査装置から受信した検査結果に異常が見られたとき、その異常に対応して上記送信報告書ファイルに規定されている種類の異常報告書を上記報告書ファイルから読み出し、その異常報告書を上記送信先ファイルに送信先として規定されている製造部門及び／又は関連部門の上記端末に送信する制御手段とを有する制御装置と
を備えた異常処理システム。
【発明の詳細な説明】
【０００１】
【発明の属する技術分野】
この発明は複数の製造部門での処理を経て製品を製造する工場における、ある製造部門で発生した異常を適確に処置する異常処理システムに関するものである。
【０００２】
【従来の技術】
従来、複数の製造部門での処理を経て製品を製造する工場では、ある製造部門で異常が発生したとき、その異常内容をその製造部門から製造管理部門や技術部門や品質管理部門などの関連部門に電話や電子メールなどにより連絡していた。また、その異常報告書をその製造部門から製造管理部門や技術部門や品質管理部門などの関連部門に発送していた。そして、その異常に対する処置が施されていた。
【０００３】
【発明が解決しようとする課題】
従来、以上のように、ある製造部門で異常が発生したとき、その異常内容を関連部門に電話や電子メールなどにより連絡し、また、その異常報告書を関連部門に発送し、その異常に対する処置が施されていたので、その異常に対する処置が施されるまでの間にその製造部門から次の製造部門に製品が搬送され処理されていた。また、著しい異常が発生したときでも、その異常に対する処置が施されるまでの間にその製造部門で製品が処理されていた。また、異常報告書が関連部門に発送されない場合もあり、その場合には、処置内容が不明確になり、異常に対する適確な処置が施されなかった。これらのため、多くの不良製品が生じるという課題があった。
【０００４】
この発明は上記のような課題を解決するためになされたもので、ある製造部門で発生した異常を適確に処置し、不良製品の発生を抑える異常処理システムを得ることを目的とする。
【０００５】
【課題を解決するための手段】
この発明に係る異常処理システムは、各製造部門の製造装置及び検査装置と通信ネットワークを介して接続しており、連続した２つの製造部門の前段の製造部門の検査装置から受信した検査結果に所定の異常が見られたとき、前段の製造部門から搬送される製品の後段の製造部門での受付けを拒否するインターロック命令を後段の製造部門の製造装置に送信する制御装置を備えたものである。
【０００６】
この発明に係る異常処理システムは、各製造部門の製造装置及び検査装置と通信ネットワークを介して接続しており、任意の製造部門の検査装置から受信した検査結果に所定の異常が見られたとき、その製造部門での製品の処理を停止する停止命令をその製造部門の製造装置に送信する制御装置を備えたものである。
【０００７】
この発明に係る異常処理システムは、各製造部門の製造装置、検査装置及び端末並びに各関連部門の端末と通信ネットワークを介して接続しており、異常報告書を含む報告書ファイルと異常報告書の送信先が規定された送信先ファイルと送信する異常報告書の種類が規定された送信報告書ファイルとを保持する記憶手段と、任意の製造部門の検査装置から受信した検査結果に異常が見られたとき、その異常に対応して送信報告書ファイルに規定されている種類の異常報告書を報告書ファイルから読み出し、その異常報告書を送信先ファイルに送信先として規定されている製造部門及び／又は関連部門の端末に送信する制御手段とを有する制御装置を備えたものである。
【０００８】
【発明の実施の形態】
以下、この発明の実施の一形態を説明する。
実施の形態１．
図１はこの発明の実施の形態１による異常処理システムを示す構成図である。図において、１は通信ネットワークである。２ａ，２ｂは製品の製造・加工などの処理に携わる第１及び第２の製造部門、３ａ，３ｂは第１及び第２の製造部門２ａ，２ｂに設けられ、製品の製造・加工などの処理を行う製造装置、４ａ，４ｂは第１及び第２の製造部門２ａ，２ｂに設けられ、製造装置３ａ，３ｂによる処理後の製品を検査し、検査結果を送信する検査装置、５ａ，５ｂは第１及び第２の製造部門２ａ，２ｂに設けられた端末である。製造装置３ａ，３ｂは通信機能を持っており、通信を行う部分が製品の処理を行う部分と一体に設けられている場合であっても別個に設けられている場合であってもよい。同様に、検査装置４ａ，４は通信機能を持っており、通信を行う部分が製品の検査を行う部分と一体に設けられている場合であっても別個に設けられている場合であってもよい。別個に設けられている場合には、製品の検査を行う部分で得られた結果をオペレータが通信を行う部分に入力する構成であってもよい。
【０００９】
６は製品を出荷する直前に行う検査に携わる最終検査部門（関連部門）、７は最終検査部門６に設けられた端末、８は製造方法や検査方法の管理に携わる製造管理部門（関連部門）、９は製造管理部門８に設けられた端末、１０は製造装置や検査装置の技術的サポートに携わる技術部門（関連部門）、１１は技術部門１０に設けられた端末、１２は製品の品質管理に携わる品質管理部門（関連部門）、１３は品質管理部門１２に設けられた端末である。
【００１０】
１４は第１，第２の製造部門２ａ，２ｂに設けられた製造装置３ａ，３ｂ，検査装置４ａ，４ｂ及び端末５ａ，５ｂ、最終検査部門６に設けられた端末７、製造管理部門８に設けられた端末９、技術部門１０に設けられた端末１１並びに品質管理部門１２に設けられた端末１３と通信ネットワーク１を介して接続するホストコンピュータ（制御装置）である。
【００１１】
図２はこの発明の実施の形態１による異常処理システムにおけるホストコンピュータの構成を示すブロック図である。図において、１５は制御手段、１６は異常報告書を含む報告書ファイル１７、異常報告書の送信先が規定された送信先ファイル１８、送信する異常報告書の種類が規定された送信報告書ファイル１９を保持する記憶手段である。図３は送信先ファイルに規定された、異常報告書の送信先を示す図である。図４は送信報告書ファイルに規定された、送信する異常報告書の種類を示す図である。
【００１２】
次に動作について説明する。
ここでは、第１及び第２の製造部門２ａ，２ｂの順に製品が搬送され、処理される場合について説明する。
【００１３】
第１の製造部門２ａに搬送された製品は、製造装置３ａに設けられたバーコードリーダにより、その製品に付されたバーコードの読み取り処理が行われる。バーコードが読み取られたとき、その製品は、製造装置３ａにより製造・加工などの処理が行われる。なお、バーコードリーダで読み取られた、第１の製造部門２ａに搬送された製品に関する情報は、製造装置３ａからホストコンピュータ１４に送信される。これにより、ホストコンピュータ１４は製造装置３ａで処理される製品を認識する。
【００１４】
製造装置３ａによる処理後の製品は、検査装置４ａに搬送され、検査装置４ａに設けられたバーコードリーダにより、その製品に付されたバーコードの読み取り処理が行われる。バーコードが読み取られたとき、その製品は、検査装置４ａにより検査され、検査結果がホストコンピュータ１４に送信される。検査装置４ａが行う検査は、製造装置３ａが所望の役割を果たしているか否かの検査であり、例えば、製品の寸法、色、形状などの検査である。なお、バーコードリーダで読み取られた、検査装置４ａに搬送された製品に関する情報は、検査装置４ａからホストコンピュータ１４に送信される。これにより、ホストコンピュータ１４は検査装置４ａで処理される製品を認識する。
【００１５】
ホストコンピュータ１４の制御手段１５は、検査装置４ａから受信した検査結果に異常が見られるか否かを判定する。例えば、検査装置４ａによる検査が規格検査であるとき、図５に示すような、規格が規定された規格ファイルをホストコンピュータ１４の記憶手段１６に保持しておき、検査装置４ａから受信した規格検査結果と記憶手段１６に保持されている規格ファイルに規定された規格とを比較することにより、検査装置４ａから受信した規格検査結果に異常が見られるか否かを判定する。
【００１６】
検査装置４ａから受信した検査結果に異常が見られなかったとき、製品は第２の製造部門２ｂに搬送され、同様に処理される。
【００１７】
検査装置４ａから受信した検査結果に異常が見られたとき、以下のように処理される。図６は検査結果に異常が見られたときの処理方法を示す図である。なお、検査結果に異常が見られたときの処置方法は随時変更することができる。
【００１８】
検査装置４ａから受信した検査結果に製品規格外などのＡランクの異常や製造規格外などのＢランクの異常が見られたとき、ホストコンピュータ１４の制御手段１５は、第１の製造部門２ａから搬送される製品の第２の製造部門２ｂでの受付けを拒否するインターロック命令を第２の製造部門２ｂの製造装置３ｂに送信する。検査装置４ａから受信した検査結果に一般規格外などのＣランクの異常が見られたときには、ホストコンピュータ１４の制御手段１５は、インターロック命令を第２の製造部門２ｂの製造装置３ｂに送信しない。
【００１９】
このように、Ａランクの異常やＢランクの異常が見られたとき、第１の製造部門２ａから搬送される製品の第２の製造部門２ｂでの受付けを拒否するインターロック命令が第２の製造部門２ｂの製造装置３ｂに送信され、製造装置３ｂに設けられたバーコードリーダが第１の製造部門２ａから搬送される製品に付されたバーコードを読み取ることができず、第１の製造部門２ａから搬送される製品が第２の製造部門２ｂで処理されない。
【００２０】
また、検査装置４ａから受信した規格検査結果にＡランクの異常が見られたとき、ホストコンピュータ１４の制御手段１５は、第１の製造部門２ａでの製品の処理を停止する停止命令を第１の製造部門２ａの製造装置３ａに送信する。検査装置４ａから受信した規格検査結果にＢランクの異常やＣランクの異常が見られたときには、ホストコンピュータ１４の制御手段１５は、停止命令を第１の製造部門２ａの製造装置３ａに送信しない。
【００２１】
このように、Ａランクの異常が見られたとき、第１の製造部門２ａでの製品の処理を停止する停止命令が第１の製造部門２ａの製造装置３ａに送信され、製造装置３ａが止められる。
【００２２】
検査装置４ａから受信した検査結果にＡランクの異常が見られたとき、ホストコンピュータ１４の制御手段１５は、記憶手段１６に保持されている送信先ファイル１８に送信先として規定されている第１及び第２の製造部門２ａ，２ｂ、最終検査部門６、製造管理部門８、技術部門１０並びに品質管理部門１２の端末５ａ，５ｂ，７，９，１１，１３に、その異常内容を知らせる電子メールを送信する。さらに、記憶手段１６に保持されている送信報告書ファイル１９に規定されている異常報告書１を記憶手段１６に保持されている報告書ファイル１７から読み出し、その異常報告書１を送信先ファイル１８に送信先として規定されている第１及び第２の製造部門２ａ，２ｂの端末５ａ，５ｂに送信する。最終検査部門６の端末７に異常報告書２を送信する。製造管理部門８の端末９に異常報告書３を送信する。技術部門１０の端末１１に異常報告書４を送信する。品質管理部門１２の端末１３に異常報告書５を送信する。製造管理部門８、技術部門１０及び品質管理部門１２に送信する異常報告書は同じであってもよい。同じ異常報告書を送信する場合には、同時に送信する構成であっても順番に送信する構成であってもよい。さらにまた、製造管理部門８、技術部門１０及び品質管理部門１２の端末９，１１，１３に、対策会議の召集を知らせる電子メールを送信する。
【００２３】
検査装置４ａから受信した規格検査結果にＢランクの異常が見られたとき、ホストコンピュータ１４の制御手段１５は、記憶手段１６に保持されている送信先ファイル１８に送信先として規定されている製造管理部門８及び技術部門１０の端末９，１１に、その異常内容を知らせる電子メールを送信する。さらに、記憶手段１６に保持されている送信報告書ファイル１９に規定されている異常報告書６を記憶手段１６に保持されている報告書ファイル１７から読み出し、その異常報告書６を送信先ファイル１８に送信先として規定されている製造管理部門８の端末９に送信する。技術部門１０の端末１１に異常報告書７を送信する。製造管理部門８及び技術部門１０に送信する異常報告書は同じであってもよい。同じ異常報告書を送信する場合には、同時に送信する構成であっても順番に送信する構成であってもよい。
【００２４】
検査装置４ａから受信した規格検査結果にＣランクの異常が見られたとき、ホストコンピュータ１４の制御手段１５は、記憶手段１６に保持されている送信先ファイル１８に送信先として規定されている製造管理部門８の端末９に、その異常内容を知らせる電子メールを送信する。さらに、記憶手段１６に保持されている送信報告書ファイル１９に規定されている異常報告書８を記憶手段１６に保持されている報告書ファイル１７から読み出し、その異常報告書８を送信先ファイル１８に送信先として規定されている製造管理部門８の端末９に送信する。
【００２５】
このように、Ａランクの異常が見られたとき、Ｂランクの異常が見られたとき、Ｃランクの異常が見られたとき、それぞれ、所定の異常報告書が所定の部門の端末に送信され、適確な処置が行われる。
【００２６】
以上のように、この実施の形態１によれば、検査結果にＡランクの異常やＢランクの異常が見られたとき、第１の製造部門２ａから搬送される製品の第２の製造部門２ｂでの受付けを拒否するインターロック命令を第２の製造部門２ｂの製造装置３ｂに送信するので、検査結果にＡランクの異常が見られたとき、第１の製造部門２ａから搬送される製品が第２の製造部門２ｂで処理されず、不良製品の発生が抑えられるという効果が得られる。
【００２７】
また、この実施の形態１によれば、検査結果にＡランクの異常が見られたとき、第１の製造部門２ａでの製品の処理を停止する停止命令を第１の製造部門２ａの製造装置３ａに送信するので、検査結果にＡランクの異常が見られたとき、製造装置３ａが止められ、不良製品の発生が抑えられるという効果が得られる。
【００２８】
また、この実施の形態１によれば、検査結果に異常が見られたとき、その異常に対応した異常報告書を所定の部門の端末に送信するので、検査結果に異常が見られたとき、適確に処置され、不良製品の発生が抑えられるという効果が得られる。
【００２９】
なお、製造装置による処理により、異常が見られるか否か、あるいはＡランクからＣランクのうちのどの異常が見られるかは、製品の種類により異なる。異常が見られた場合の対処方法も製品の種類により異なる。
【００３０】
【発明の効果】
以上のように、この発明によれば、各製造部門の製造装置及び検査装置と通信ネットワークを介して接続しており、連続した２つの製造部門の前段の製造部門の検査装置から受信した検査結果に所定の異常が見られたとき、前段の製造部門から搬送される製品の後段の製造部門での受付けを拒否するインターロック命令を後段の製造部門の製造装置に送信する制御装置を備えるように異常処理システムを構成したので、検査結果に所定の異常が見られたとき、前段の製造部門から搬送される製品を後段の製造部門で処理せず、不良製品の発生を抑える異常処理システムが得られるという効果がある。
【００３１】
この発明によれば、各製造部門の製造装置及び検査装置と通信ネットワークを介して接続しており、任意の製造部門の検査装置から受信した検査結果に所定の異常が見られたとき、その製造部門での製品の処理を停止する停止命令をその製造部門の製造装置に送信する制御装置を備えるように異常処理システムを構成したので、検査結果に所定の異常が見られたとき、製造装置を止め、不良製品の発生を抑える異常処理システムが得られるという効果がある。
【００３２】
この発明によれば、各製造部門の製造装置，検査装置及び端末並びに各関連部門の端末と通信ネットワークを介して接続しており、異常報告書を含む報告書ファイルと異常報告書の送信先が規定された送信先ファイルと送信する異常報告書の種類が規定された送信報告書ファイルとを保持する記憶手段と、任意の製造部門の検査装置から受信した検査結果に異常が見られたとき、その異常に対応して送信報告書ファイルに規定されている種類の異常報告書を報告書ファイルから読み出し、送信先ファイルに送信先として規定されている製造部門及び／又は関連部門の端末に、送信報告書ファイルに規定されている種類の異常報告書を送信する制御手段とを有する制御装置を備えるように異常処理システムを構成したので、検査結果に異常が見られたとき、適確な処理を自動的に行い、不良製品の発生を抑える異常処理システムが得られるという効果がある。
【図面の簡単な説明】
【図１】この発明の実施の形態１による異常処理システムを示す構成図である。
【図２】この発明の実施の形態１による異常処理システムにおけるホストコンピュータの構成を示すブロック図である。
【図３】送信先ファイルに規定された、異常報告書の送信先を示す図である。
【図４】送信報告書ファイルに規定された、送信する異常報告書の種類を示す図である。
【図５】規格ファイルに規定された、規格を示す図である。
【図６】検査結果に異常が見られたときの処理方法を示す図である。
【符号の説明】
１　通信ネットワーク、２ａ，２ｂ　第１，第２の製造部門、３ａ，３ｂ　製造装置、４ａ，４ｂ　検査装置、５ａ，５ｂ　端末、６　最終検査部門（関連部門）、７　端末、８　製造管理部門（関連部門）、９　端末、１０　技術部門（関連部門）、１１　端末、１２　品質管理部門（関連部門）、１３　端末、１４ホストコンピュータ（制御装置）、１５　制御手段、１６　記憶手段、１７　報告書ファイル、１８　送信先ファイル、１９　送信報告書ファイル。
【図１】
2004094356.tif 000003
【図２】
2004094356.tif 000004
【図３】
2004094356.tif 000005
【図４】
2004094356.tif 000006
【図５】
2004094356.tif 000007
【図６】
2004094356.tif 000008